(57)【要約】【課題】使用者の頭部の外観に多様性を持たせることができるようにし、特に水泳帽子を着用した際の状態を変化させバラエティに富んだ外観を実現することができるようにする。【解決手段】伸縮性素材（例えば、合成ゴム）からなる頭部用アクセサリ１００が、使用者（例えば、水泳帽子の着用者）の頭部をリング状に覆うことで該頭部に装着可能な形態であり、頭部に装着された際に頭部に接触する領域（例えば、接触領域１０）と、頭部に装着された際に頭部に接触しない領域（例えば、つば領域２０）とを備える。【選択図】図１
2016138344.tif 000002
【特許請求の範囲】
【請求項１】
伸縮性素材からなる頭部用アクセサリであって、
使用者の頭部をリング状に覆うことで該頭部に装着可能な形態であり、
前記頭部に装着された際に該頭部に接触する領域（以下「接触領域」という。）と、
前記頭部に装着された際に該頭部に接触しない領域（以下「つば領域」という。）とを備える
ことを特徴とする頭部用アクセサリ。
【請求項２】
前記接触領域は略帯状であり、
前記つば領域は、前記接触領域の伸縮状態に応じて少なくとも一部の曲率が変化する
請求項１記載の頭部用アクセサリ。
【請求項３】
前記接触領域と前記つば領域との境界は、底辺側が略水平であるのに対して上辺側が上方に傾く形態であり、
前記つば領域は、先端側底辺領域の少なくとも一部が上方に隆起しており、かつ該隆起は前記接触領域が伸張することによりさらに隆起する形態である
請求項１または請求項２記載の頭部用アクセサリ。
【請求項４】
１枚のシートと、該シートに縫着されたクッション材とにより構成され、
前記シートが備える２つの端部が前記接触領域内で接続されており、
前記クッション材が前記接触領域に縫着された
請求項１から請求項３のうち何れかに記載の頭部用アクセサリ。
【請求項５】
前記伸縮性素材が弾性ゴムである
請求項１から請求項４のうち何れかに記載の頭部用アクセサリ。
【請求項６】
前記伸縮性素材がクロロプレンゴムである
請求項１から請求項５のうち何れかに記載の頭部用アクセサリ。
【発明の詳細な説明】
【技術分野】
【０００１】
この発明は、伸縮性素材からなる頭部用アクセサリに関する。
【背景技術】
【０００２】
従来、水泳帽子（あるいはスイミングキャップ）として種々のものが提案されている。こうした水泳帽子には、例えば、着用者の髪を収容するための容積増大部を設けることで流体力学的特性の向上を図るものがある（特許文献１参照）。
【先行技術文献】
【特許文献】
【０００３】
【特許文献１】特表２０１４−５１８９５８号公報
【発明の概要】
【発明が解決しようとする課題】
【０００４】
しかしながら、従来の水泳帽子には外観形状の差異が乏しく、装着時の外観を重視する使用者が不満を感じる場合があるという問題があった。すなわち、水泳帽子としての特性（例えば、水抵抗の軽減性やゴーグルの装着性等）が考慮された結果、着用時に着用者の目の上方に位置する部分には突き出た部分が無い形状とされることが一般的であり、着用者によっては水泳帽子を着用した際の状態に不満を感じる場合があるという問題があった。水泳帽子を着用した際に限らず、頭部の外観に多様性を持たせることができるようなアクセサリが望まれている。
【０００５】
本発明は、使用者の頭部の外観に多様性を持たせることができるようにし、特に水泳帽子を着用した際の状態を変化させバラエティに富んだ外観を実現することができるようにすることを目的とする。
【課題を解決するための手段】
【０００６】
本発明の頭部用アクセサリは、伸縮性素材からなる頭部用アクセサリであって、使用者の頭部をリング状に覆うことで該頭部に装着可能な形態であり、前記頭部に装着された際に該頭部に接触する領域（接触領域）と、前記頭部に装着された際に該頭部に接触しない領域（つば領域）とを備えることを特徴とする。
【０００７】
上記構成によれば、使用者の頭部の外観に多様性を持たせることができるようになり、例えば水泳帽子を着用した際の状態を変化させバラエティに富んだ外観を実現することができるようになる。
【０００８】
前記接触領域は略帯状であり、前記つば領域は、前記接触領域の伸縮状態に応じて少なくとも一部の曲率が変化するものとしてもよい。
【０００９】
前記接触領域と前記つば領域との境界は、底辺側が略水平であるのに対して上辺側が上方に傾く形態であり、前記つば領域は、先端側底辺領域の少なくとも一部が上方に隆起しており、かつ該隆起は前記接触領域が伸張することによりさらに隆起する形態であるものとしてもよい。
【００１０】
１枚のシートと、該シートに縫着されたクッション材とにより構成され、前記シートが備える２つの端部が前記接触領域内で接続されており、前記クッション材が前記接触領域に縫着されたものとしてもよい。
【００１１】
前記伸縮性素材が弾性ゴムであるものとしてもよい。
【００１２】
前記伸縮性素材がクロロプレンゴムであるものとしてもよい。
【発明の効果】
【００１３】
水泳帽子を着用した際の外観を変化させることができるようになる。
【図面の簡単な説明】
【００１４】
【図１】頭部用アクセサリの構成例について説明するための説明図である。
【図２】頭部用アクセサリの生産方法の例について説明するための説明図である。
【図３】頭部用アクセサリの形態の例について説明するための説明図である。
【図４】頭部用アクセサリの装着方法の例について説明するための説明図である。
【図５】頭部用アクセサリの装着方法の多様性について説明するための説明図である。
【図６】頭部用アクセサリの装着方法の多様性について説明するための説明図である。
【発明を実施するための形態】
【００１５】
以下、本発明の実施形態の例について図面を参照して説明する。なお、実施形態の特徴部分に関係しない事項については、その内容を省略している場合がある。
【００１６】
図１は、本発明の一実施形態における頭部用アクセサリの構成例について説明するための説明図である。図１に示すように、伸縮性素材からなる頭部用アクセサリ１００は、使用者の頭部をリング状に覆うことで該頭部に装着可能な形態であり、接触領域１０と、つば領域２０と、接続部３０と、クッション材４０，５０とを備える。
【００１７】
ここで、使用者の頭部をリング状に覆うとは、使用者の頭部を一周した状態を意味する。
【００１８】
また、伸縮性素材とは、伸縮性を有する素材であればよく、その構成は特に限定されない。伸縮性の素材の例には、合成ゴムやメッシュ生地がある。また、頭部用アクセサリは、用途に応じて撥水性を有する構成とされることが好適である。以下、頭部用アクセサリ１００が撥水性を有する伸縮性素材（例えば、クロロプレンゴム）からなる場合を例にして説明する。
【００１９】
なお、頭部用アクセサリは、その伸縮性により使用者の頭部に適度な強さで固定されることが好適である。
【００２０】
また、接触領域１０とは、頭部用アクセサリ１００が使用者の頭部に装着された際に該頭部に接触する領域を意味する。ここで、接触領域１０の形状はその伸縮性により使用者の頭部に固定され得る形状であればよく、特に限定されない。以下、接触領域１０が略帯状である場合を例にして説明する。
【００２１】
また、つば領域２０とは、頭部用アクセサリ１００が使用者の頭部に装着された際に該頭部に接触しない領域を意味する。ここで、つば領域２０の形状は、使用時にいわゆる帽子の「つば」として機能し得る形状、より具体的には使用者の頭部に接触する部分から外側に向かって広がる形状であればよく、特に限定されない。以下、つば領域２０の少なくとも一部の曲率が、接触領域１０の伸縮状態に応じて変化する場合を例にして説明する。
【００２２】
また、接続部３０とは、頭部用アクセサリ１００をリング状にするために設けられる部分を意味する。接続部３０は、頭部用アクセサリ１００をリング状にするものであればよく、その構成は特に限定されない。接続部３０の例には、図１に示すように特定の部材（例えば、印字可能な部材。）や、縫着を示す部分がある。以下、接続部３０が印字可能な素材により構成されている場合を例にして説明する。
【００２３】
また、クッション材４０，５０とは、伸縮性素材からなるクッション性のある素材を意味する。クッション材４０，５０は、締め付けによる不快感を防止するため、頭部用アクセサリ１００における使用者の頭部に接触する部分に装着される部分に設けられることが好適である。以下、図１に示すように、頭部用アクセサリ１００の上辺側に縫着されたクッション材４０と、頭部用アクセサリ１００の底辺側に縫着されたクッション材５０とがある場合を例にして説明する。なお、クッション材４０，５０は、縫着以外の方法で設けられる構成としてもよい。縫着以外の方法の例には、例えば接着剤を用いる方法がある。また、クッション材として他の部分と同じ素材が用いられる構成としてもよい。この場合、例えばクッション材に相当する部分の厚みが他の部分より厚い構成としてもよい。
【００２４】
図２は、頭部用アクセサリの生産方法の例について説明するための説明図である。図２に示すように、頭部用アクセサリ１００は、１枚のシート１１０と、シート１１０に縫着されたクッション材（図示せず）とにより構成される。すなわち、伸縮性を有するシートから１枚のシート１１０を切り取り、２つの端部１０ａ，１０ｂを接続し、該接続の前または後にクッション材（本例においては、上辺側クッション材４０と底辺側クッション材５０）を縫着することで頭部用アクセサリ１００を生産することが可能である。なお、クッション材の縫着位置または範囲は特に限定されないが、頭部への装着を阻害せず、かつ接触領域１０を含む構成が好適である。
【００２５】
図３は、頭部用アクセサリの形態の例について説明するための説明図である。図３は、頭部用アクセサリ１００を半分に折った状態（すなわち、接続部３０とつば領域２０とに折り目がくるように頭部用アクセサリ１００を畳んだ状態）を示す。図３に示すように、接触領域１０とつば領域２０との境界は、底辺側が略水平であるのに対して上辺側が上方に傾く形態である。
【００２６】
また、つば領域２０の先端側（図３における紙面右側）は、底辺側の領域（先端側底辺領域）の少なくとも一部が上方（図３における紙面上側）に隆起した形態である。そして、頭部用アクセサリ１００は、装着時に接触領域１０（特に、上辺側クッション材４０が縫着された領域）が伸張することにより、この隆起（特に、つば領域の先端側底辺領域の略中央を含む領域２１に設けられた隆起）がさらに隆起することとなる。すなわち、頭部用アクセサリ１００においては、装着時における上辺側クッション材４０の略水平方向への伸張率に対して、つば領域２０（特に、底辺側の領域）の略水平方向への伸張率が低くなるため、領域２１に垂直方向への隆起が生じる。言い換えれば、接触領域１０の上辺側先端とつば領域底辺側先端とを結ぶ線６０の曲率が、装着時の頭部用アクセサリの伸縮状態に応じて変化する。
【００２７】
次に、頭部用アクセサリの使用方法について説明する。
【００２８】
図４は、頭部用アクセサリの装着方法の例について説明するための説明図である。図４は、一般的な水泳帽子４００を着用した使用者が頭部用アクセサリ１００を装着した状態を正面から見た場合の例を示す。ここで、一般的な水泳帽子とは、一般的な「つば」に相当する部分がない水泳帽子を意味する。また、本例においては、水泳帽子４００と頭部用アクセサリ１００とを分けて説明するために、水泳帽子をかぶることを「着用」と表現し、頭部用アクセサリをかぶることを「装着」と表現する。すなわち、使用者が頭部用アクセサリをかぶることについて「装着」以外の言葉（例えば、着用や使用）を用いることを排除する意図はない。
【００２９】
図４に示すように、頭部用アクセサリ１００は、水泳帽子４００を着用した際の外観を大きく変化させる。すなわち、水泳帽子４００のみを着用している場合と比べて、頭部用アクセサリ１００を装着した状態では、一般的な「つば」に相当する部分が外観に現れる。また、図４に示すように、頭部用アクセサリ１００は、底辺側クッション材５０は、上辺側クッション材４０と比較して、中央側（あるいは、先端側）が上方に隆起する。
【００３０】
図５と図６は、頭部用アクセサリの装着方法の多様性について説明するための説明図である。頭部用アクセサリ１００のつば領域２０を日除けとして機能させる場合、図５に示すように、つば領域２０が顔の上方に位置するように装着することが好適である。一方、頭部用アクセサリ１００を頭部に装着したまま泳ぐ場合、図６に示すように、つば領域２０が後頭部下方の首筋に沿った位置にくるように装着することが好適である。こうような装着態様の多様性は、頭部用アクセサリ１００が伸縮性素材により構成されていることにより実現される。
【００３１】
なお、上述した実施形態の例では、頭部用アクセサリ１００の装着方法の例として水泳帽子４００の上から装着する場合について説明した。しかし、頭部用アクセサリ１００は使用者の頭部に装着されればよく、装着態様は水泳帽子の上に限定されない。頭部用アクセサリ１００の装着方法の例には、単独で頭部に装着する方法や、つばのない帽子の下に装着する方法がある。すなわち、本発明に係る頭部用アクセサリは、その用途を水泳帽子用に限定されず、帽子としての用途や、水泳帽子以外の帽子と組み合わせる用途を含む。
【００３２】
以上に説明したように、上述した実施形態の例では、伸縮性素材からなる頭部用アクセサリ１００が、使用者の頭部をリング状に覆うことで該頭部に装着可能な形態であり、頭部に装着された際に頭部に接触する領域（例えば、接触領域１０）と、頭部に装着された際に頭部に接触しない領域（例えば、つば領域２０）とを備える構成としているので、使用者の頭部の外観に多様性を持たせることができるようになり、特に水泳帽子を着用した状態で装着した場合には、水泳帽子を着用した際の状態を変化させバラエティに富んだ外観を実現することができるようになる。
【００３３】
すなわち、特に水泳帽子を着用した状態で装着した場合には、その特性上つばが設けられていない水泳帽子を着用している使用者が水泳帽子の上から頭部用アクセサリ１００を装着することにより、容易にその外観を変化させることができる。また、伸縮性素材からなる頭部量アクセサリ１００は、着脱が容易である。また、折りたたみ可能であることから携帯性にも優れる。
【００３４】
また、上述した実施形態の例では、接触領域１０が略帯状であり、つば領域２０が、接触領域１０の伸縮状態に応じて少なくとも一部の曲率（例えば、線６０。図３参照。）が変化する構成としているので、装着時の外観に多様性をもたせることができるようになる。
【００３５】
また、上述した実施形態の例では、接触領域１０とつば領域２０との境界は、底辺側が略水平であるのに対して上辺側が上方に傾く形態であり（図３参照）、つば領域２０は、先端側底辺領域の少なくとも一部（例えば、領域２１。図３参照。）が上方に隆起しており、かつ該隆起は接触領域２０が伸張することによりさらに隆起する形態である構成としているので、装着時の外観に多様性をもたせることができるようになる。
【００３６】
また、上述した実施形態の例では、１枚のシート１１０と、シート１１０に縫着されたクッション材４０，５０とにより構成され、シート１１０が備える２つの端部１０ａ，１０ｂが接触領域１０内で接続されており、クッション材４０，５０が接触領域１０に縫着された構成としているので、複数のシートを使う場合よりも生産コストを抑えることができるようになる。また、クッション材により装着時の締め付け感を低減させることができるようになる。
【００３７】
なお、上述した実施形態の例では特に言及していないが、頭部用アクセサリ１００が、クッション材を備えない構成としてもよい。この場合、１枚のシート１１０の形状および２つの端部１０ａ，１０ｂの縫着態様により頭部用アクセサリ１００の立体構造が実現される構成としてもよい。
【００３８】
なお、上述した実施形態の例では特に言及していないが、頭部用アクセサリ１００の縁にクッション材を設けることにより、シート１１０のみで頭部用アクセサリを構成する場合とくらべて強度（例えば、装着時に現れるつば領域２０の定型性）高めることができるようになる。この場合、シート１１０よりも強度の高い素材をクッション材として用いる構成としてもよいし、縫着方法（例えば、糸の素材選択や縫い目の構成）によりシート１１０と同じ素材の強度を高める構成としてもよい。
【００３９】
なお、上述した実施形態の例ではクッション性に着目する場合を例にして説明したが、頭部用アクセサリ１００の縁（例えば、上辺側の縁と底辺側の縁の少なくとも一方）に、１枚のシート１１０よりも固い部材（縁部）を設ける構成としてもよい。縁部を設ける構成とすることにより、頭部用アクセサリを装着した際の形を安定させることができるようになる。また、頭部用アクセサリ全体を固くするよりも重さや生産コストを抑えることができるようになる。
【００４０】
また、上述した実施形態の例では１枚のシートから頭部用アクセサリ１００を構成する場合について説明したが、生産方法の構成はこれに限定されず、複数のシートを用いて生産される構成としてもよい。この場合、例えば同一形状に切り取られた２枚のシートを２箇所で縫着する構成としてもよい。このような構成とすることにより、１枚のシートから生産する場合と比べ、生産時に管理するシートの大きさを抑えることができるようになる。
【００４１】
なお、上述した実施形態の例では特に言及していないが、頭部用アクセサリ１００を裏返し可能な構成としてもよい。この場合、例えば表と裏の両面にデザインが施された構成としてもよい。このような構成とすることにより、使用者が選択できるデザインに多様性をもたせることができるようになり、伸縮性素材を用いることのメリットを増大させることができるようになる。
【００４２】
なお、上述した実施形態の例では特に言及していないが、頭部用アクセサリは、接続部が、使用者により設けられる構成としてもよい。すなわち、使用者が、２つの端部１０ａ，１０ｂ（図２参照）を結ぶことで頭部用アクセサリを頭に装着し、結び目をほどくことで頭部用アクセサリを頭から取り外すことが可能な構成としてもよい。この場合、結び目が接続部であるといえる。なお、２つの端部を結べる構成とする場合、図２で示す場合と比べて結びやすくなるように形状（例えば、結ぶ箇所の長さや太さ）を調整することが好ましい。また、結び方の方法は特に限定されない。結び方の例にはいわゆる蝶々結びがある。
【００４３】
なお、上述した実施形態の例では特に言及していないが、２つの端部１０ａ，１０ｂに着脱部（例えば、フックやボタン、面ファスナー）が設けられた構成としてもよい。また、例えば図１の頭部用アクセサリ１００が、接続部３０を取り外すことで接続領域１０を分割可能な構成とされていてもよい。この場合、接続部３０に着脱部が設けられた構成としてもよい。このような構成とするとで、使用時以外の頭部用アクセサリの形態に多様性をもたせることができるようになる。また、着脱部を設ける場合には着脱部を複数設けることで、使用者が頭部用アクセサリのサイズを調整することができるようになる。
【産業上の利用可能性】
【００４４】
本発明によれば、使用者の頭部の外観に多様性を持たせることができるようにし、特に水泳帽子を着用した際の状態を変化させバラエティに富んだ外観を実現することができるようにするのに有用である。
【符号の説明】
【００４５】
１０  接触領域
１０ａ，１０ｂ  端部
２０  つば領域
２１  領域
３０  接続部
４０，５０  クッション材
１００  頭部用アクセサリ
１１０  シート
４００  水泳帽子
【図１】
2016138344.tif 000003
【図２】
2016138344.tif 000004
【図３】
2016138344.tif 000005
【図４】
2016138344.tif 000006
【図５】
2016138344.tif 000007
【図６】
2016138344.tif 000008